(57)【要約】      （修正有）【課題】番組の記録が行われていない間に実行すべき処理を実行するための時間を確保することができる記録装置を提供する。【解決手段】記録装置１は、一つのチャンネルで順次的に放送される複数の番組の記録予約を登録する処理を行う。記録装置１は、一つのチャンネルで順次的に放送される複数の番組を記録するための記録期間として使用者により指定することが可能な時間の長さを制限する。一日の中に、一つのチャンネルで順次的に放送される複数の番組を記録するための記録期間として指定されることのない期間が確保される。この期間では、制御プログラムの更新等、記録装置１の正常な動作のために必要であり、番組の記録が行われていない間に実行すべき処理を実行することが可能になる。【選択図】図２
2014158170.tif 000002
【特許請求の範囲】
【請求項１】
放送信号を受信する手段と、該手段が受信した放送信号に基づいて、放送された番組を記録する記録手段とを備える記録装置において、
チャンネルの指定を受け付けるチャンネル受付手段と、
記録期間の指定を受け付ける記録期間受付手段と、
前記チャンネル受付手段が指定を受け付けたチャンネルで前記記録期間受付手段が指定を受け付けた記録期間内に順次的に放送される複数の番組の記録予約を登録する手段と、
前記受付手段が指定を受け付けることができる記録期間を制限する制限手段と
を備えることを特徴とする記録装置。
【請求項２】
前記制限手段は、前記記録期間の長さを制限するように構成してあること
を特徴とする請求項１に記載の記録装置。
【請求項３】
前記制限手段は、前記記録期間の時間帯を更に制限するように構成してあること
を特徴とする請求項２に記載の記録装置。
【請求項４】
前記制限手段は、
一日の内で、前記記録手段が記録した番組の放送時間帯が含まれている回数が最少である一定の長さの時間帯を特定する手段と、
該手段が特定した時間帯が記録期間に含まれないように、前記受付手段が指定を受け付けることができる記録期間を制限する手段と
を有することを特徴とする請求項３に記載の記録装置。
【請求項５】
前記受付手段が指定を受け付けた記録期間には含まれない期間に、前記記録手段が動作していない間に実行すべき特定の処理を実行する手段を更に備えること
を特徴とする請求項１から４までの何れか一つに記載の記録装置。
【発明の詳細な説明】
【技術分野】
【０００１】
本発明は、放送される番組の記録予約を行う記録装置に関する。
【背景技術】
【０００２】
従来、テレビジョン放送の記録装置が普及している。記録装置は、テレビジョン放送の放送信号を受信するチューナを備え、記録すべき番組を指定する記録予約を予め行っておき、指定された番組が放送されたときに、チューナで放送信号を受信して番組の記録を行う。また、特許文献１には、予め指定されたキーワードを用いて、使用者の嗜好に合った番組を指定する記録予約を自動で行う記録装置が開示されている。更に、記録装置は、記録を行う以外に、制御プログラムの更新等、正常な動作のために必要であり、しかも番組の記録とは同時に実行することができない処理を実行する必要がある。これらの処理は、通常、記録の処理が行われていない間に実行されている。
【先行技術文献】
【特許文献】
【０００３】
【特許文献１】特開２０１０−２２６７６７号公報
【発明の概要】
【発明が解決しようとする課題】
【０００４】
しかしながら、常時記録を行うように記録予約がなされている場合、記録の処理が行われない時間帯がほとんど存在しないようになり、記録装置は、番組の記録が行われていない間に実行すべき処理を実行することが困難となる。この場合は、記録装置は正常な動作を行うことができなくなる虞がある。
【０００５】
本発明は、斯かる事情に鑑みてなされたものであって、その目的とするところは、番組の記録が行われていない間に実行すべき処理を実行するための時間を確保することができる記録装置を提供することにある。
【課題を解決するための手段】
【０００６】
本発明に係る記録装置は、放送信号を受信する手段と、該手段が受信した放送信号に基づいて、放送された番組を記録する記録手段とを備える記録装置において、チャンネルの指定を受け付けるチャンネル受付手段と、記録期間の指定を受け付ける記録期間受付手段と、前記チャンネル受付手段が指定を受け付けたチャンネルで前記記録期間受付手段が指定を受け付けた記録期間内に順次的に放送される複数の番組の記録予約を登録する手段と、前記受付手段が指定を受け付けることができる記録期間を制限する制限手段とを備えることを特徴とする。
【０００７】
本発明に係る記録装置は、前記制限手段は、前記記録期間の長さを制限するように構成してあることを特徴とする。
【０００８】
本発明に係る記録装置は、前記制限手段は、前記記録期間の時間帯を更に制限するように構成してあることを特徴とする。
【０００９】
本発明に係る記録装置は、前記制限手段は、一日の内で、前記記録手段が記録した番組の放送時間帯が含まれている回数が最少である一定の長さの時間帯を特定する手段と、該手段が特定した時間帯が記録期間に含まれないように、前記受付手段が指定を受け付けることができる記録期間を制限する手段とを有することを特徴とする。
【００１０】
本発明に係る記録装置は、前記受付手段が指定を受け付けた記録期間には含まれない期間に、前記記録手段が動作していない間に実行すべき特定の処理を実行する手段を更に備えることを特徴とする。
【発明の効果】
【００１１】
本発明にあっては、記録装置の正常な動作のために必要であって番組の記録が行われていない間に実行すべき処理を実行する時間が確保される。従って、記録装置は正常な動作を継続することが可能となる等、本発明は優れた効果を奏する。
【図面の簡単な説明】
【００１２】
【図１】記録装置の外観を示す概念図である。
【図２】記録装置の内部構成を示すブロック図である。
【図３】実施の形態１において一つのチャンネルで順次的に放送される複数の番組の記録予約を登録する処理の手順を示すフローチャートである。
【図４】一つのチャンネルで順次的に放送される複数の番組を記録するための記録期間を指定することが可能な時間帯を設定する処理の手順を示すフローチャートである。
【図５】一つのチャンネルで順次的に放送される複数の番組を記録する記録期間を指定することが可能な時間帯の例を示す概念図である。
【図６】実施の形態２において一つのチャンネルで順次的に放送される複数の番組の記録予約を登録する処理の手順を示すフローチャートである。
【図７】実施の形態２において番組の記録が行われていない間に記録装置が実行すべき処理の手順を示すフローチャートである。
【図８】実施の形態３に係るテレビジョン受信機の内部構成を示すブロック図である。
【発明を実施するための形態】
【００１３】
以下本発明をその実施の形態を示す図面に基づき具体的に説明する。
（実施の形態１）
図１は、記録装置の外観を示す概念図である。本実施の形態に係る記録装置１は、テレビジョン放送により放送された番組を記録する録画装置である。記録装置１は、テレビジョン受信機等の表示装置２に接続されることが可能である。記録装置１は、接続された表示装置２へ、記録した番組を表す映像信号及び音声信号を送信し、表示装置２は、映像信号に基づいた映像を表示し、音声信号に基づいた音声を出力する。また、記録装置１は、使用者によって操作されるリモコン（リモートコントローラ）３からの信号を受信することにより、各種の指示を受け付ける。
【００１４】
図２は、記録装置１の内部構成を示すブロック図である。記録装置１は、演算を行う演算部、演算に伴う情報を記憶するＲＡＭ（Random Access Memory）、演算に必要な制御プログラムを記憶するＲＯＭ（Read Only Memory）等からなり、記録装置１の各部の動作を制御する制御部１１を備えている。また記録装置１は、映像処理及び音声処理を行う処理部１２を備える。処理部１２には、三つのチューナ１７１，１７２，１７３と、ハードディスクを内蔵し、ハードディスクに対してデータを読み書きするハードディスクドライブ（ＨＤＤ）１８１と、光ディスクに対してデータを読み書きする光ディスクドライブ１８２とが接続されている。
【００１５】
チューナ１７１，１７２，１７３は、図示しないアンテナに接続され、アンテナを通じて、テレビジョン放送による放送信号を受信する。処理部１２は、チューナ１７１，１７２，１７３のいずれかが受信した放送信号をデコードして、映像信号及び音声信号を生成する処理を行う。また、処理部１２は、ＨＤＤ１８１及び光ディスクドライブ１８２が読み出したデータをデコードして映像信号及び音声信号を生成する処理、並びに映像信号及び音声信号をエンコードしてＨＤＤ１８１及び光ディスクドライブ１８２に記録させるためのデータを生成する処理を行う。チューナ１７１，１７２，１７３のいずれかが受信した放送信号から生成された映像信号及び音声信号をエンコードしたデータを、ＨＤＤ１８１又は光ディスクドライブ１８２が記録することにより、放送された番組の記録が行われる。なお、記録装置１は、ＨＤＤ１８１及び光ディスクドライブ１８２の内の何れか一方のみを備えた形態であってもよく、その他の記憶デバイスを備えた形態であってもよい。
【００１６】
また、制御部１１には、不揮発性のメモリでなる記憶部１４と、時刻を計測する時計部１５と、リモコン３からの信号を受信する受信部１６が接続されている。受信部１６は、使用者によって操作されたリモコン３からの信号を受信し、制御部１１は、受信部１６が受信した信号に応じた処理を実行する。
【００１７】
また、制御部１１及び処理部１２には、データの入出力を行うインタフェース部１３が接続されている。インタフェース部１３は、例えば、ＨＤＭＩ（High-Definition Multimedia Interface）に準拠したインタフェースである。インタフェース部１３は、通信ケーブルを介して表示装置２に接続され、処理部１２が生成した映像信号及び音声信号を表示装置２へ送信する。
【００１８】
記録装置１は、三つのチューナ１７１，１７２，１７３を備えているので、異なったチャンネルで放送された番組の放送信号を同時に三つまで受信することができる。このため、記録装置１は、同じ時間帯に放送される番組を三つまで記録することができる。また、記録装置１は、将来放送される予定の番組を記録できるように、番組の記録予約を登録することができる。記憶部１４は、将来放送される予定の番組の記録予約を含んだ予約データを記憶している。記録装置１は、将来放送される予定の番組表を表示装置２に表示させ、リモコン３を操作する使用者に、番組表の中から記録すべき任意の番組を選択させる。制御部１１は、使用者が操作するリモコン３からの信号を受信部１６で受信することにより、使用者が選択した番組を指定し、指定した番組の記録予約を含んだ予約データを記憶部１４に記憶させることにより、番組の記録予約を登録する。予約データに含まれる記録予約には、記録が予約された番組が放送されるチャンネル及び時間帯を示す情報が含まれている。また、制御部１１は、リモコン３からの信号を受信部１６で受信することによって特定のキーワードを入力され、入力されたキーワードを用いて番組表から適宜番組を検索して指定し、指定した番組の記録予約を登録することもできる。更に、記録装置１は、チューナ１７１，１７２，１７３で受信可能なテレビジョン放送のチャンネルの内、一つのチャンネルを指定し、指定したチャンネルで順次的に放送される複数の番組を記録することができる。このため、記録装置１は、一つのチャンネルで順次的に放送される複数の番組の記録予約を一括して登録する処理を行うことができる。この際、記録装置１は、複数の番組を記録するための記録期間を指定し、指定した記録期間中に放送される複数の番組を記録する。
【００１９】
また、記録装置１は、正常な動作のために必要であり、しかも番組の記録が行われていない間に実行すべき特定の処理を、実行する必要がある。このような処理には、例えば、制御プログラムの更新、番組表に含まれるロゴの取得、周波数のリパッキング、及び番組表を表す番組表データの取得がある。制御プログラムの更新では、記録装置１は、放送信号をチューナ１７１，１７２，１７３で受信することにより、制御プログラムの更新データをダウンロードし、制御部１１は、更新データに基づいて制御プログラムを更新し、記録装置１をリセットさせる。また、ロゴの取得では、放送信号をチューナ１７１，１７２，１７３で受信することにより、ロゴを表すロゴデータをダウンロードし、ダウンロードした番組表データを記憶部１４又はＨＤＤ１８１に記憶する。また、周波数のリパッキングでは、記録装置１は、放送信号をチューナ１７１，１７２，１７３で受信することにより、各チャンネルの周波数を示すデータをダウンロードし、制御部１１は、ダウンロードしたデータに基づいて、受信するテレビジョン放送の周波数を変更する処理を行う。また、番組表データの取得では、記録装置１は、放送信号をチューナ１７１，１７２，１７３で受信することにより、番組表データをダウンロードし、ダウンロードした番組表データを記憶部１４又はＨＤＤ１８１に記憶する。ロゴデータ及び番組表データは、番組表を表示装置２に表示させる処理、及び番組の記録予約を登録する処理等に利用される。これらの処理は、番組を記録する処理と同時には実行することができず、番組を記録する処理が行われていない間に実行される。また、これらの処理を実行するには、ある程度の時間が必要である。
【００２０】
記録装置１は、一つのチャンネルで順次的に放送される複数の番組を連続的に行う場合、番組の記録を常時行っているので、制御プログラムの更新等の番組の記録が行われていない間に実行すべき処理を実行することができない。これらの処理は記録装置１の正常な動作のために必要な処理であり、これらの処理を実行できない場合は、記録装置１は、正常な動作が不可能になる虞がある。そこで、本実施の形態では、記録装置１は、番組の記録が行われていない間に実行すべき処理を実行するための時間を確保するために、一つのチャンネルで順次的に放送される複数の番組を記録することができる記録期間の長さを制限する。
【００２１】
記録装置１は、記録期間の連続した長さの上限を１８時間等の所定の長さに設定してある。記録期間の長さの上限を示す情報は、記憶部１４に記憶されている。記録期間の長さの上限は、２４時間よりも短い長さであり、２４時間から記録期間の長さの上限を除いた長さは、正常な動作のために必要であって番組の記録が行われていない間に実行すべき特定の処理を実行するために必要な長さである。例えば、記録期間の長さの上限を２４時間から除した長さが、番組の記録が行われていない間に実行すべき特定の処理を実行するために必要な時間以上の長さになるように、上限が定められている。また、複数種類のデータをダウンロードする必要がある場合は、記録期間の長さの上限を２４時間から除した長さは、複数種類のデータをダウンロードするために必要な時間以上の長さになっていることが望ましい。また、ダウンロードする必要があるデータを含んだ放送信号が特定の間隔で放送される場合、記録期間の長さの上限を２４時間から除した長さは、ダウンロードに必要な時間にデータを含んだ放送信号が放送される間隔を加算した時間以上の長さになっていてもよい。
【００２２】
図３は、実施の形態１において一つのチャンネルで順次的に放送される複数の番組の記録予約を登録する処理の手順を示すフローチャートである。制御部１１は、一つのチャンネルで順次的に放送される複数の番組を記録するための記録期間の長さを制限しながら、複数の番組を記録するためのチャンネル及び記録期間の指定を使用者から受け付けるための受付画面を、表示装置２に表示させる（Ｓ１１）。例えば、受付画面には、記録期間の開始時刻及び終了時刻を入力する欄が表示され、開始時刻が入力された場合に、開始時刻に所定の記録期間の長さの上限を加えた時刻が終了時刻として自動で入力される。また、例えば、制御部１１は、受付画面に開始時刻が入力された後、終了時刻の入力欄に表示された時刻は、開始時刻に所定の記録期間の長さの上限を加えた時刻以降の時刻に変更できないようにする。なお、設定された所定の長さの上限よりも短い記録期間の指定を受け付けることは可能である。
【００２３】
使用者が操作したリモコン３からの信号を受信部１６で受信することによって、記録装置１は、チャンネル及び記録期間の指定を受け付ける（Ｓ１２）。制御部１１は、次に、指定を受け付けたチャンネルで、指定を受け付けた記録期間内に順次的に放送される複数の番組の記録予約を一括して登録する（Ｓ１３）。ステップＳ１３では、制御部１１は、予約データを記憶部１４に記憶させる。制御部１１は、以上で処理を終了する。使用者が選択した番組又はキーワードを用いて検索した番組の記録予約を登録する処理は、ステップＳ１１〜Ｓ１３の処理とは別に実行される。また、記録装置１は、番組の記録が行われていない間に実行すべき特定の処理を、指定を受け付けた記録期間に含まれない時間帯に実行する。録画予約が登録された番組を放送時に記録する処理では、記録装置１は、チューナ１７１，１７２，１７３の内、番組の放送時の時点で他の番組の放送信号の受信に使用されていないチューナを選択し、選択したチューナを用いて放送信号を受信し、番組の記録を行う。即ち、チューナとチャンネル又は番組との対応は固定されておらず、記録装置１は、チューナ１７１，１７２，１７３の内で任意のチューナを用いて番組の録画を行うことができる。
【００２４】
以上詳述した如く、本実施の形態に係る記録装置１は、一つのチャンネルで順次的に放送される複数の番組を記録するための記録期間の長さを所定の長さ以内に制限する。このため、一日の中に、一つのチャンネルで順次的に放送される複数の番組を記録するための記録期間に含まれない期間が確保される。例えば、記録期間の長さの上限を１８時間としてある場合は、一つのチャンネルで順次的に放送される複数の番組を記録する処理が行われない期間が少なくとも６時間確保される。この期間では、番組の記録が行われていない間に実行すべき特定の処理を実行することが可能になる。従って、本実施の形態においても、制御プログラムの更新等の、正常な動作のために必要であり、しかも番組の記録が行われていない間に実行すべき処理を実行する時間が確保され、記録装置１は、正常な動作を継続することが可能となる。
【００２５】
（実施の形態２）
実施の形態２に係る記録装置１の内部構成は、実施の形態１と同様である。本実施の形態においては、記録装置１は、一つのチャンネルで順次的に放送される複数の番組を記録するための記録期間の長さを制限することに加えて、記録期間を指定することができる時間帯を制限する。
【００２６】
図４は、一つのチャンネルで順次的に放送される複数の番組を記録するための記録期間を指定することが可能な時間帯を設定する処理の手順を示すフローチャートである。制御部１１は、ＨＤＤ１８１又は光ディスクドライブ１８２で記録した番組の放送時間帯を取得する（Ｓ２１）。ステップＳ２１では、例えば、制御部１１は、ＨＤＤ１８１に記録された番組を表すデータに含まれる放送時間帯を示す情報を読み出す。制御部１１は、次に、記録した番組の放送時間帯が一定の長さの時間帯に含まれる数を計測する（Ｓ２２）。例えば、時間帯の一定の長さが６時間である場合、０時から次の０時（２４時）までの一日の中から、０時から６時までの時間帯，１時から７時までの時間帯，…，１８時から０時（２４時）までの時間帯等、複数の時間帯を抽出し、記録した番組の放送時間帯が夫々の時間帯に含まれる数を計測する。時間帯の一定の長さは、実施の形態１と同様の記録期間の長さの上限を２４時間から除した長さに予め定められている。即ち、時間帯の一定の長さは、正常な動作のために必要であり、しかも番組の記録が行われていない間に実行すべき特定の処理を実行するために必要な長さである。
【００２７】
制御部１１は、次に、記録した番組の放送時間帯が含まれる数が最少になる一定の長さの時間帯を特定する（Ｓ２３）。制御部１１は、次に、一日の中で、特定した一定の長さの時間帯を含まない時間帯を、一つのチャンネルで順次的に放送される複数の番組を記録するための記録期間を指定することが可能な時間帯に設定する（Ｓ２４）。制御部１１は、設定した時間帯を示すデータを記憶部１４に記憶させ、処理を終了する。制御部１１は、適宜のタイミングでステップＳ２１〜Ｓ２４の処理を実行する。なお、記録装置１は、ステップＳ２１〜Ｓ２４の処理を実行することなく、一日の内の所定の時間帯を、一つのチャンネルで順次的に放送される複数の番組を記録する記録期間を指定することが可能な時間帯に予め定めてある形態であってもよい。
【００２８】
図５は、一つのチャンネルで順次的に放送される複数の番組を記録する記録期間を指定することが可能な時間帯の例を示す概念図である。図中の横軸は時刻を示している。図５に示した例では、記録した番組の放送時間帯が含まれる数を調べる時間帯の一定の長さを、６時間としている。０時から次の０時（２４時）までの内、０時から６時までの時間帯は、一日に含まれる６時間の時間帯の内で記録した番組の放送時間帯が含まれる数が最少になる時間帯であり、記録期間を指定することが可能な時間帯から除外され、記録期間を指定することができない時間帯となっている。６時から０時（２４時）までの時間帯は、記録期間を指定することが可能な時間帯となっており、この時間帯の長さは、記録期間の長さの上限である１８時間になっている。
【００２９】
図６は、実施の形態２において一つのチャンネルで順次的に放送される複数の番組の記録予約を登録する処理の手順を示すフローチャートである。制御部１１は、一つのチャンネルで順次的に放送される複数の番組を記録するための記録期間を指定することが可能な時間帯の表示を含み、複数の番組を記録するためのチャンネル及び記録期間の指定を使用者から受け付けるための受付画面を、表示装置２に表示させる（Ｓ３１）。例えば、受付画面には、記録期間を指定することが可能な時間帯として、６時から０時（２４時）までの時間帯が表示される。使用者が操作したリモコン３からの信号を受信部１６で受信することによって、記録装置１は、チャンネル及び記録期間の指定を受け付ける（Ｓ３２）。この際、記録期間として指定することが可能な時間帯外の時刻を含む記録期間が指定された場合は、制御部１１は、記録期間の指定の受付を行わず、ステップＳ３１の処理を続行する。制御部１１は、次に、指定を受け付けたチャンネルで、指定を受け付けた記録期間内に順次的に放送される複数の番組の記録予約を一括して登録する（Ｓ３３）。ステップＳ３３では、制御部１１は、指定を受け付けたチャンネルを示す情報、及び指定を受け付けた記録期間内に順次的に放送される複数の番組の夫々の放送時間帯を示す情報を、夫々の番組について含んだ記録予約が含まれる予約データを記憶部１４に記憶させる。制御部１１は、以上で処理を終了する。使用者が選択した番組又はキーワードを用いて検索した番組の記録予約を登録する処理は、ステップＳ３１〜Ｓ３３の処理とは別に実行される。また、録画予約が登録された番組を放送時に記録する処理は、実施の形態１と同様に実行される。
【００３０】
図７は、実施の形態２において番組の記録が行われていない間に記録装置１が実行すべき処理の手順を示すフローチャートである。制御部１１は、随時、時計部１５が計測した現在の時刻が、一つのチャンネルで順次的に放送される複数の番組を記録するための記録期間を指定することが可能な時間帯の範囲外の時刻であるか否かを判定する（Ｓ４１）。現在の時刻が、記録期間を指定することが可能な時間帯内の時刻である場合は（Ｓ４１：ＮＯ）、制御部１１は、ステップＳ４１の処理を繰り返す。現在の時刻が、記録期間を指定することが可能な時間帯の範囲外の時刻である場合は（Ｓ４１：ＹＥＳ）、制御部１１は、番組表データを取得する処理等の、正常な動作のために必要であって番組の記録が行われていない間に実行すべき特定の処理を実行する（Ｓ４２）。制御部１１は、随時、ステップＳ４１〜Ｓ４２の処理を実行する。
【００３１】
以上詳述した如く、本実施の形態に係る記録装置１は、一つのチャンネルで順次的に放送される複数の番組を記録するための記録期間を指定することが可能な時間帯を設定することにより、記録期間の時間帯を制限する。このため、一日の中に、一つのチャンネルで順次的に放送される複数の番組を記録するための記録期間に含まれない時間帯が確保され、この時間帯では、一つのチャンネルで順次的に放送される複数の番組を記録する処理は行われない。この時間帯では、番組の記録が行われていない間に実行すべき特定の処理を実行することが可能になる。従って、制御プログラムの更新等の、正常な動作のために必要であり、しかも番組の記録が行われていない間に実行すべき処理を実行する時間が確保され、記録装置１は、正常な動作を継続することが可能となる。
【００３２】
なお、以上の実施の形態１及び２においては、テレビジョン放送の番組を記録する形態を示したが、記録装置１は、映像を含まない音声放送の番組を記録する形態であってもよい。
【００３３】
（実施の形態３）
図８は、実施の形態３に係るテレビジョン受信機の内部構成を示すブロック図である。テレビジョン受信機４は、実施の形態１又は２に係る記録装置１を内部に備えている。記録装置１に対応する部分の内部構成は実施の形態１に係る記録装置１の内部構成と同様であり、対応する部分に同符号を付してその説明を省略する。また、テレビジョン受信機４は、液晶パネル又はＥＬ（Electro Luminescence）パネル等の表示デバイスを含み、映像を表示する表示部４１を備えている。テレビジョン受信機４は、三つのチューナ１７１，１７２，１７３の何れかで受信した放送信号に基づいた映像を表示部４１に表示する。また、処理部１２は、ＨＤＤ１８１及び光ディスクドライブ１８２が読み出したデータをデコードして映像信号を生成し、表示部４１は映像信号に基づいた映像を表示する。
【００３４】
テレビジョン受信機４は、実施の形態１又は２に係る記録装置１と同様の処理を実行することができる。従って、本実施の形態においても、実施の形態１又は２と同様に、制御プログラムの更新等の、正常な動作のために必要であって番組の記録が行われていない間に実行すべき処理を実行する時間が確保され、記録装置１は、正常な動作を継続することが可能となる。
【００３５】
なお、以上の実施の形態１〜３においては、記録装置１又はテレビジョン受信機４が三つのチューナ１７１，１７２，１７３を備えた形態を示したが、チューナの数は他の数であってもよい。例えば、記録装置１又はテレビジョン受信機４は、単一のチューナを備えた形態であってもよい。
【符号の説明】
【００３６】
１  記録装置
１１  制御部
１２  処理部
１４  記憶部
１７１、１７２、１７３  チューナ
１８１  ＨＤＤ
１８２  光ディスクドライブ
４  テレビジョン受信機
４１  表示部
【図１】
2014158170.tif 000003
【図２】
2014158170.tif 000004
【図３】
2014158170.tif 000005
【図４】
2014158170.tif 000006
【図５】
2014158170.tif 000007
【図６】
2014158170.tif 000008
【図７】
2014158170.tif 000009
【図８】
2014158170.tif 000010